(57)【要約】【課題】記憶媒体の容量を消費することなく画像表示時間を短縮することができる画像表示装置を提供する。【解決手段】画像表示装置としてのデジタルカメラ２０は、圧縮画像データを記録する記録装置１０と、ＪＰＥＧ画像を伸長するＪＰＥＧ伸長部１１と、ＬＣＤ１６に画像を表示するＬＣＤコントローラ１７とを備える。記録装置１０に圧縮画像データ３１が記録されているときは、ＪＰＥＧ伸長部１１は圧縮画像データ３１を間引いた上で伸長して間引き画像データ３５を生成し、ＬＣＤコントローラ１７は、間引き画像データ３５に基づいて間引き画像をＬＣＤ１６に表示する。その後、ＪＰＥＧ伸長部１１は圧縮画像データ３１を間引くことなく伸長して詳細画像データ４２を生成し、ＬＣＤコントローラ１７は、詳細画像データ４２に基づいて詳細画像をＬＣＤ１６に表示する。【選択図】    図３
2005026836.tif 000002
【特許請求の範囲】
【請求項１】
画像データを記録する記録手段と、
前記記録された画像データから詳細画像データを生成する詳細画像データ生成手段と、
前記記録された画像データからデータを間引いた間引き画像データを生成する間引き画像データ生成手段と、
前記間引き画像データ生成手段で生成された間引き画像データに基づいて間引き画像を表示手段に表示した後に、前記詳細画像データ生成手段で生成された詳細画像データに基づいて詳細画像を前記表示手段に表示する表示制御手段とを備えることを特徴とする画像表示装置。
【発明の詳細な説明】
【０００１】
【発明の属する技術分野】
本発明は、画像表示装置に関し、特に、画像を圧縮画像データとして記録媒体に記録している画像表示装置に関する。
【０００２】
【従来の技術】
従来の画像表示装置は、オリジナル画像を圧縮した画像データを圧縮画像データとして記録媒体に記録しており、画像を表示するときは、圧縮画像データを伸長して詳細画像データを生成し、生成した詳細画像データに基づいて詳細画像を表示する。
【０００３】
一方、近年ではデジタルカメラの技術が進み、撮影できる画像は高画素化の傾向にあり、より高精彩で詳細な画像を扱えるようになってきた。それに伴い、デジタルカメラにより撮影できる画像の画像データ量も増加の傾向にある。上記画像表示装置が、このような画像データ量の大きい画像を表示する場合において、上記詳細画像データの生成に長時間を要するので、画像表示の命令が入力されてから画像表示までの画像表示時間が長くなり、使用者に不快感を与える場合がある。
【０００４】
このため、オリジナル画像を圧縮画像データとして記録媒体に記録する際に、画像のデータ数を間引いて生成された小サイズの非圧縮画像であるサムネイル画像を生成して、圧縮画像データと共に記録する画像表示装置が提案されている（例えば、特許文献１参照）。この画像表示装置は、サムネイル画像を迅速に表示した後に、画像表示時間の長い詳細画像を表示することにより、画像表示時間を見かけ上短縮することができる。
【０００５】
【特許文献１】
特開平１０−７９９１２号公報
特開平１０−７９９１３号公報
【０００６】
【発明が解決しようとする課題】
しかしながら、上記画像表示装置は、圧縮画像データとサムネイル画像を夫々生成して記憶媒体に記憶しておく必要があり、記憶媒体の容量を余計に消費する。
【０００７】
本発明の目的は、記憶媒体の容量を消費することなく画像表示時間を短縮することができる画像表示装置を提供することにある。
【０００８】
【課題を解決するための手段】
上述の目的を達成するために、請求項１記載の画像表示装置は、画像データを記録する記録手段と、前記記録された画像データから詳細画像データを生成する詳細画像データ生成手段と、前記記録された画像データからデータを間引いて間引き画像データを生成する間引き画像データ生成手段と、前記間引き画像データ生成手段で生成された間引き画像データに基づいて間引き画像を表示手段に表示した後に、前記詳細画像データ生成手段で生成された詳細画像データに基づいて詳細画像を前記表示手段に表示する表示制御手段とを備えることを特徴とする。
【０００９】
【発明の実施の形態】
以下、本発明の実施の形態を図面を参照しながら説明する。
【００１０】
図１は、本発明の実施の形態に係る画像表示装置の内部構成を示すブロック図である。
【００１１】
図１において、本発明の実施の形態に係る画像表示装置としてのデジタルカメラ２０は、各種処理を制御するＣＰＵ１と、ＣＰＵ１において実行される処理を記述したプログラム、及び該処理に必要なデータを格納するＲＯＭ２と、該処理に必要となる読み書きメモリ領域を提供するＲＡＭ３と、レンズ５及びＣＣＤ６を介して取得した画像をデジタル信号に変換して、画像データとして取込むＡ／Ｄ変換器７と、取込まれた画像データに対して処理を行う信号処理部８と、処理された画像データをＪＰＥＧ方式で圧縮して圧縮画像データを生成するＪＰＥＧ圧縮部９と、生成された圧縮画像データを記録する記録装置１０と、圧縮画像データを伸長するＪＰＥＧ伸長部１１と、各種入力を行うＩ／Ｏコントローラ１５と、ＬＣＤ１６に画像を表示するＬＣＤコントローラ１７とを備え、これらはシステムバス４を介して互いに接続されている。
【００１２】
また、デジタルカメラ２０は、画像の撮影を入力するシャッターボタン１２と、スクロール又はズームを入力する十字ボタン１３と、画像への線分描画を入力するタッチパネル１４とを備え、これらはＩ／Ｏコントローラ１５に接続されている。
【００１３】
デジタルカメラ２０は、図２に示すような操作面を有し、この操作面には、ＬＣＤ１６と、十字ボタン１３とが配置されている。ＬＣＤ１６は、スタイラスペンにより入力がなされるタッチパネル１４も兼ねる。また、デジタルカメラ２０の頂部には、シャッターボタン１２が配置されている。
【００１４】
上記デジタルカメラ２０は、以下のように作動する。
【００１５】
図３及び図４は、図１のデジタルカメラ２０によって実行される第１の画像表示処理のフローチャートである。
【００１６】
図３において、まず、記録装置１０に、画像データが格納されているか否かを判別し（ステップＳ３００）、画像データが記録されていればステップＳ３０１に移行し、記録されていなければステップＳ３０５に移行しイベント待ちとなる。
【００１７】
ステップＳ３０１では、記録装置１０に記録されている画像の中から最初のものが選ばれ、表示対象の画像であるカレント画像とし、ステップＳ３０２に進む。
【００１８】
ステップＳ３０２では、記録装置１０からカレント画像を読み出し、ＪＰＥＧ伸長部１１により画像の解像度を間引いて高速に伸長処理を行う。ＪＰＥＧ画像からの間引き伸長は、例えば、Ｉｎｄｅｐｅｎｄｅｎｔ  ＪＰＥＧ  Ｇｒｏｕｐ（ＩＪＧ）が公開している一般にｌｉｂｊｐｅｇと呼ばれるＪＰＥＧライブラリにおいて、画像伸長時のパラメータであるｓｃａｌｅ＿ｎｕｍ，  ｓｃａｌｅ＿ｄｅｎｏｍを１／ｎ（ｎは２、４、８）に設定し、又はそれと同等の処理により行うことができる。
【００１９】
図５に、画像データのデータ構造を示す。
【００２０】
図５（ａ）の３１は、画像を表わす構造体（圧縮画像データのデータ構造）であり、３２と３３はオリジナル画像の幅とオリジナル画像の高さとを示し、間引きしなかった場合の画像サイズを示している。３４は伸長された画像のデータのデータ構造を指示するポインタである。
【００２１】
図５（ｂ）の３５は、伸長画像データ構造３５（間引き画像データのデータ構造）であり、３６と３７は間引きされた画像の幅と高さと示し、３８は１ピクセルあたりの色深さを示し、３９と４０と４１はそれぞれ信号処理部８で画像処理したＲ、Ｇ、Ｂのデータ列である。
【００２２】
図５（ｃ）の４２は、後述するステップＳ３１１によって起動される詳細伸長タスクにおいて伸長された、間引きされない詳細伸長データ構造（詳細画像データのデータ構造）であり、伸長画像データ構造３５と同様のデータ構造を持つが、詳細伸長データ構造４２においては、４３と４４で示される幅と高さは、オリジナル画像の幅と高さに等しくなり、４６と４７と４８で示されるＲ、Ｇ、Ｂのデータ列もそのサイズに応じた大きさを持つ。
【００２３】
ステップＳ３０２の処理では、表示する画像の縦横比を保存したまま、ＬＣＤ１６に表示できる最大の表示サイズと、その表示サイズの画像がＬＣＤ１６の中心に配置される表示位置とをそれぞれ求めて、それらを保持する。さらに、オリジナル画像の幅３２と高さ３３と、表示サイズとの比をズーム率として保持する。
【００２４】
次いで、一定時間、例えば０．５秒おきに詳細画像伸長の詳細伸長タスクの動作状態を監視するタイマ割込みが発生するように、タイマを設定し（ステップＳ３０３）、ポインタ３４が指示している間引き画像データ３５のＲＧＢのデータを拡大又は縮小することにより、保持されている表示サイズと表示位置に変換した上で、間引き画像データ３５をＬＣＤコントローラ１７に送り、ＬＣＤコントローラ１７は、間引き画像データ３５に基づいて間引き画像をＬＣＤ１６に表示する（ステップＳ３０４）。
【００２５】
続くステップＳ３０５では、次のイベントが有るか否かを判別し、次のイベントがなく、すべてのイベントの処理が終了したときは、本処理を終了し、一方、次のイベントがある場合は、ステップＳ３０６〜Ｓ３０９に進んで、ステップＳ３０３で設定したタイマ割込みが発生したか否かを判別し（ステップＳ３０６）、Ｉ／Ｏコントローラ１５が十字ボタン１３の入力を検出したか否かを判別し（ステップＳ３０７）、Ｉ／Ｏコントローラ１５がタッチパネル１４の入力を検出したか否かを判別し（ステップＳ３０８）、Ｉ／Ｏコントローラ１５がシャッターボタン１２の入力を検出したか否かを判別する（ステップＳ３０９）。
【００２６】
ステップＳ３０６の判別の結果、ステップＳ３０３で設定したタイマ割込みが発生したときは、ＪＰＥＧ伸長部１１は圧縮画像データ３１を間引くことなく伸長して、後述する図５（ｃ）の詳細画像データ４２を生成する詳細伸長タスクが実行中か否かを判別し（ステップＳ３１０）、詳細伸長タスクが実行中であるときは、詳細伸長タスク終了フラグが立った（ステップＳ３１２でＹＥＳ）後、上記タイマを終了し（ステップＳ３１３）、さらに、圧縮画像データ構造３１のポインタ３４が指している間引き画像データ構造３５を開放し、ポインタ３４により詳細伸長タスクで生成された詳細画像データ構造４２を指示することにより画像を差替えた（ステップＳ３１４）後、ステップＳ３０４以降の処理を実行して、ＬＣＤコントローラ１７は、詳細画像データ構造４２に基づいて詳細画像をＬＣＤ１６に表示し、本処理を終了する。
【００２７】
ステップＳ３１０の判別の結果、詳細伸長タスクが実行中でないときは、詳細伸長タスクを開始し（ステップＳ３１１）、ステップＳ３０５に移行し、起動された詳細伸長タスクはバックグラウンドで処理を続ける。ＪＰＥＧ伸長部１１は、詳細画像データの生成を終了すると、詳細伸長タスク終了フラグを立てて、詳細伸長タスクを終了する。
【００２８】
ステップＳ３０７の判別の結果、Ｉ／Ｏコントローラ１５が十字ボタン１３の入力を検出したときは、表示サイズがＬＣＤ１６のサイズより大きい（ズーム中）か否かを判別し（ステップＳ３１５）、表示サイズがＬＣＤ１６のサイズより大きく（ズーム中で）ないときは、入力された十字ボタン１３の方向が左／右か上／下かを判別する（ステップＳ３１６）。
【００２９】
ステップＳ３１６の判別の結果、入力された十字ボタン１３の方向が左／右であるときは、詳細伸長タスクが実行中でないときは（ステップＳ３１７でＮＯ）、直ちに、詳細伸長タスクが実行中であるときは（ステップＳ３１７でＹＥＳ）、詳細伸長タスクを停止且つタイマを終了した（ステップＳ３１８）後、記録装置１０に圧縮画像データとして記録されている画像から、入力された十字ボタン１３の方向が左であれば、１つ前の画像に、入力された十字ボタン１３の方向が右であれば、１つ後の画像に表示画像を切替え（ステップＳ３１９）、次いで、切替えられた表示画像に対して、ステップＳ３０２以降の処理を実行して、本処理を終了する。
【００３０】
ステップＳ３１６の判別の結果、入力された十字ボタン１３の方向が上／下である場合は、ズームイン／ズームアウト処理を行った（ステップＳ３２０）後、ステップＳ３０４以降の処理を実行して、画像をＬＣＤ１６に表示し、本処理を終了する。ステップＳ３２０では、入力された十字ボタン１３の方向が上であれば、ステップＳ３０２で保持されたズーム率を増加させ（ズームイン）、入力された十字ボタン１３の方向が下であれば、ステップＳ３０２で保持されたズーム率を減少させ（ズームアウト）、また、新しいズーム率に応じた表示サイズと、ズーム後も表示の中心が一致する表示位置とを求めて保持する。
【００３１】
ステップＳ３１５の判別の結果、表示サイズがＬＣＤ１６のサイズより大きい（ズーム中である）ときは、十字ボタン１３で入力された方向に応じて、保持されている表示位置を変更し（ステップＳ３２１）、ステップＳ３０４以降の処理を実行して、画像をＬＣＤ１６に表示し、本処理を終了する。
【００３２】
ステップＳ３０８の判別の結果、Ｉ／Ｏコントローラ１５がタッチパネル１４の入力を検出したときは、タッチパネル１４に入力された入力座標に従って表示画像への線分描画処理を行い（ステップＳ３２２）、ステップＳ３０５以降の処理を実行して、本処理を終了する。ステップＳ３２２の処理では、描画される線分の太さを、ステップＳ３０２又はステップＳ３２０で求められたズーム率に応じて変えることにより、画像と線分が同時にズームしているように表示する。
【００３３】
ステップＳ３０９の判別の結果、Ｉ／Ｏコントローラ１５がシャッターボタン１２の入力を検出したときは、撮影処理を行い（ステップＳ３２３）、ステップＳ３２３の撮影処理では、Ａ／Ｄ変換器７がレンズ５及びＣＣＤ６を介して取得した画像をデジタル信号に変換して、画像データとして取込み、信号処理部８が取込まれた画像データに対して処理を行い、ＪＰＥＧ圧縮部９が処理された画像データをＪＰＥＧ方式で圧縮して圧縮画像データを生成し、記録装置１０が生成された圧縮画像データを記録することにより行われる。
【００３４】
図３及び図４の処理によれば、ＬＣＤコントローラ１７は、短い処理時間で生成された間引き画像データに基づいて間引き画像をＬＣＤ１６に表示した（ステップＳ３０１〜Ｓ３０２）後、表示画像を詳細画像データに基づく詳細画像に差替えるので（ステップＳ３１４）、記憶媒体の容量を消費することなく画像表示時間を短縮することができる。
【００３５】
また、ステップＳ３０３で設定されるタイマにより詳細伸長タスクの開始を遅延させ（ステップＳ３１１）、遅延時間中に表示画像の切替えが入力されたときは（ステップＳ３１６で左／右）、詳細伸長タスクを実行しないので、表示画像の切替えを直ちに実行することができる。
【００３６】
さらに、間引き画像と詳細画像を同じ表示サイズでＬＣＤ１６に表示するので、ステップＳ３１４における間引き画像から詳細画像への差替えを、使用者に違和感を与えることなく行うことができる。
【００３７】
図６及び図７は、図１のデジタルカメラ２０によって実行される第２の画像表示処理のフローチャートである。
【００３８】
図６及び図７において、図３及び図４のステップと同一のステップには同一符号を付した上で、その説明を省略すると共に、異なる点のみ以下に説明する。
【００３９】
図６において、まず、記録装置１０に、画像データが記録されているか否かを判別し（ステップＳ３００）、記録装置１０に画像データが記録されているときは、画像データの中から最初の画像データをカレント画像として選択する（ステップＳ３０１）。
【００４０】
記録装置１０から選択されたカレント画像の圧縮画像データを読み出し、ＪＰＥＧ伸長部１１が間引き画像データ構造３５を生成し（ステップＳ３０３）、タイマの設定を行うことなく、ＬＣＤコントローラ１７は間引き画像を表示する（ステップＳ３０４）。
【００４１】
続くステップＳ３０５では、次のイベントが有るか否かを判別し、次のイベントがなく、すべてのイベントの処理が終了したときは、本処理を終了し、一方、次のイベントがある場合は、ステップＳ３０６〜Ｓ３０９の各判別を行う。
【００４２】
ステップＳ３０７の判別の結果、Ｉ／Ｏコントローラ１５が十字ボタン１３の入力を検出したときは、表示サイズがＬＣＤ１６のサイズより大きい（ズーム中）か否かを判別し（ステップＳ３１５）、表示サイズがＬＣＤ１６のサイズより大きく（ズーム中で）ないときは、入力された十字ボタン１３の方向が左／右か上／下かを判別する（ステップＳ３１６）。
【００４３】
ステップＳ３１６の判別の結果、入力された十字ボタン１３の方向が上／下であるときは、入力された十字ボタン１３の方向に応じてズームイン／ズームアウト処理を行った（ステップＳ３２０）後、表示サイズがＬＣＤ１６のサイズより大きく（ズーム中）（ステップＳ５０１でＹＥＳ）、詳細伸長タスクが実行中でないときは（ステップＳ５０２でＮＯ）、詳細伸長タスクを開始し（ステップＳ５０３）、詳細伸長タスクの動作状態を監視するタイマを設定した（ステップＳ５０４）後、ステップＳ３０４以降の処理を実行して、画像をＬＣＤ１６に表示し、本処理を終了する。
【００４４】
図６及び図７の処理によれば、特に詳細画像を必要とする画像のズーム中にのみ（ステップＳ５０１でＹＥＳ）、詳細伸長タスクを開始する（ステップＳ５０３）ので、記憶媒体の容量を消費することなく画像表示時間を短縮することができる。
【００４５】
図３及び図４において、撮影時に通常のＪＰＥＧ画像の他に間引いてサイズを小さくしたＪＰＥＧ画像を生成し、ステップＳ３０２における間引き伸長を、この間引きＪＰＥＧ画像から行ってもよい。
【００４６】
本発明は、上述した実施の形態の機能を実現するソフトウェアのプログラム（図３及び図４と、図６及び図７とのフローチャート）をコンピュータ又はＣＰＵ１に供給し、ＣＰＵ１が該供給されたプログラムを読出して実行することによって、達成することができる。
【００４７】
この場合、上記プログラムは、該プログラムを記憶した記憶媒体から直接供給されるか、又はインターネット、商用ネットワーク、若しくはローカルエリアネットワーク等に接続される不図示のコンピュータやデータベース等からダウンロードすることにより供給される。
【００４８】
上記プログラムの形態は、オブジェクトコード、インタプリタにより実行されるプログラムコード、ＯＳ（オペレーティングシステム）に供給されるスクリプトデータ等の形態から成ってもよい。
【００４９】
また、本発明は、上述した実施の形態の機能を実現するソフトウェアのプログラムを記憶した記憶媒体をＣＰＵ１に供給し、ＣＰＵ１が記憶媒体に記憶されたプログラムを読出して実行することによっても、達成することができる。
【００５０】
この場合、格納媒体から読出されたプログラムコード自体が上述した各実施の形態の機能を実現すると共に、そのプログラムコードを記憶した記憶媒体は本発明を構成する。
【００５１】
プログラムコードを記憶する記憶媒体としては、例えば、ＲＯＭ２、ＲＡＭ３、フロッピー（登録商標）ディスク、ハードディスク、光ディスク（登録商標）、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード等がある。
【００５２】
本発明の実施態様を以下に列記する。
【００５３】
〔実施態様１〕  画像データを記録する記録手段と、前記記録された画像データから詳細画像データを生成する詳細画像データ生成手段と、前記記録されている画像データからデータを間引いた間引き画像データを生成する間引き画像データ生成手段と、前記間引き画像データ生成手段で生成された間引き画像データに基づいて間引き画像を表示手段に表示した後に、前記詳細画像データ生成手段で生成された詳細画像データに基づいて詳細画像を前記表示手段に表示する表示制御手段とを備えることを特徴とする画像表示装置。
【００５４】
〔実施態様２〕  前記詳細画像データ生成手段（Ｓ３１１）は、前記画像データを間引くことなく伸長することにより前記詳細画像データを生成し、前記間引き画像データ生成手段（Ｓ３０２）は、前記画像データを間引いた上で伸長することにより前記間引き画像データを生成することを特徴とする実施態様１記載の画像表示装置。
【００５５】
この実施態様により、記憶媒体の容量を消費することなく画像表示時間を短縮することができる。
【００５６】
〔実施態様３〕  前記表示制御手段（Ｓ３０４）は、前記間引き画像を表示してから一定時間後に前記詳細画像を表示することを特徴とする実施態様１又は２記載の画像表示装置。
【００５７】
この実施態様により、一定時間内に表示画像の切替えが入力されたときは、表示画像の切替えを直ちに実行することができる。
【００５８】
〔実施態様４〕  前記表示手段に表示された画像の切替え指示が入力されたか否かを検出する切替え指示検出手段（Ｓ３１９）を備え、前記詳細画像データ生成手段は、前記切替え指示が入力されたときは、前記詳細画像データの生成を停止し、前記間引き画像データ生成手段は前記間引き画像データを生成することを特徴とする実施態様１乃至３のいずれか１項に記載の画像表示装置。
【００５９】
この実施態様により、切替え指示が入力されたときは、表示された画像を直ちに切替えることができる。
【００６０】
〔実施態様５〕  前記表示手段に表示された画像を加工する指示が入力されたか否かを検出する加工指示検出手段（１３，１４）を備え、前記加工指示が入力されたときは、前記間引き画像データ及び前記詳細画像データを夫々加工することを特徴とする実施態様１乃至４のいずれか１項に記載の画像表示装置。
【００６１】
この実施態様により、間引き画像から詳細画像への差替えを、使用者に違和感を与えることなく行うことができる。
【００６２】
〔実施態様６〕  前記表示手段に前記間引き画像が拡大して表示されているときにのみ、前記詳細画像データ生成手段は前記詳細画像データを生成することを特徴とする実施態様１乃至５のいずれか１項に記載の画像表示装置。
【００６３】
この実施態様により、記憶媒体の容量を消費することなく画像表示時間を短縮することができる。
【００６４】
〔実施態様７〕  前記記録手段（１０）は、画像データに対応して、前記間引き画像データ及び前記詳細画像データを記録することを特徴とする実施態様１乃至６のいずれか１項に記載の画像表示装置。
【００６５】
〔実施態様８〕  前記記録手段が記録する画像データを取得すべく撮影を行う撮影手段（Ｓ３２３）を備える実施態様１乃至７のいずれか１項に記載の画像表示装置。
【００６６】
〔実施態様９〕  画像データを記録手段に記録する記録ステップと、前記記録された画像データから詳細画像データを生成する詳細画像データ生成ステップと、前記記録された画像データからデータを間引いた間引き画像データを生成する間引き画像生成ステップと、前記間引き画像生成ステップで生成された間引き画像データに基づいて間引き画像を表示手段に表示した後に、前記詳細画像データ生成ステップで生成された詳細画像データに基づいて詳細画像を前記表示手段に表示する表示制御ステップとを備えることを特徴とする画像表示方法。
【００６７】
この実施態様により、記憶媒体の容量を消費することなく画像表示時間を短縮することができる。
【００６８】
〔実施態様１０〕  前記詳細画像データ生成ステップは、前記画像データを間引くことなく伸長することにより前記詳細画像データを生成し、前記間引き画像データ生成ステップは、前記画像データを間引いた上で伸長することにより前記間引き画像データを生成することを特徴とする実施態様９記載の画像表示方法。
【００６９】
この実施態様により、記憶媒体の容量を消費することなく画像表示時間を短縮することができる。
【００７０】
〔実施態様１１〕  前記表示制御ステップは、前記間引き画像データに基づいて間引き画像を表示してから一定時間後に前記詳細画像データに基づいて詳細画像を表示することを特徴とする実施態様９又は１０記載の画像表示方法。
【００７１】
この実施態様により、一定時間内に表示画像の切替えが入力されたときは、表示画像の切替えを直ちに実行することができる。
【００７２】
〔実施態様１２〕  前記表示手段に表示された画像の切替え指示が入力されたか否かを検出する切替え指示検出ステップを備え、前記詳細画像データ生成ステップは、前記切替え指示が入力されたときは、前記詳細画像データの生成を停止し、前記間引き画像データ生成ステップは前記間引き画像データを生成することを特徴とする実施態様９乃至１１のいずれか１項に記載の画像表示方法。
【００７３】
この実施態様により、切替え指示が入力されたときは、表示された画像を直ちに切替えることができる。
【００７４】
〔実施態様１３〕  前記表示手段に表示された画像を加工する指示が入力されたか否かを検出する加工指示検出ステップを備え、前記加工指示が入力されたときは、前記間引き画像データ及び前記詳細画像データを夫々加工することを特徴とする実施態様９乃至１２のいずれか１項に記載の画像表示方法。
【００７５】
この実施態様により、間引き画像から詳細画像への差替えを、使用者に違和感を与えることなく行うことができる。
【００７６】
〔実施態様１４〕  前記表示手段に前記間引き画像が拡大して表示されているときにのみ、前記詳細画像データ生成ステップは前記詳細画像データを生成することを特徴とする実施態様９乃至１３のいずれか１項に記載の画像表示方法。
【００７７】
この実施態様により、記憶媒体の容量を消費することなく画像表示時間を短縮することができる。
【００７８】
〔実施態様１５〕  前記記録ステップは、画像データに対応して、前記間引き画像データ及び前記詳細画像データを記録することを特徴とする実施態様９乃至１４のいずれか１項に記載の画像表示方法。
【００７９】
〔実施態様１６〕  前記記録ステップが記録する画像データを取得すべく撮影を行う撮影ステップを備える実施態様９乃至１５のいずれか１項に記載の画像表示方法。
【００８０】
〔実施態様１７〕  画像データを記録手段に記録する記録ステップと、前記記録された画像データから詳細画像データを生成する詳細画像データ生成ステップと、前記記録された画像データからデータを間引いた間引き画像データを生成する間引き画像生成ステップと、前記間引き画像データ生成ステップで生成した間引き画像データに基づいて間引き画像を表示手段に表示した後に、前記詳細画像データ生成ステップで生成された詳細画像データに基づいて詳細画像を前記表示手段に表示する表示ステップとを備えることを特徴とする画像表示プログラム。
【００８１】
この実施態様により、記憶媒体の容量を消費することなく画像表示時間を短縮することができる。
【００８２】
〔実施態様１８〕  実施態様１７記載のプログラムを格納することを特徴とするコンピュータ読取り可能な記憶媒体。
【００８３】
この実施態様により、記憶媒体の容量を消費することなく画像表示時間を短縮することができる。
【００８４】
【発明の効果】
以上詳細に説明したように、請求項１記載の画像表示装置によれば、記録された画像データから間引き画像データを生成し、生成された間引き画像データに基づいて間引き画像を表示した後、詳細画像データに基づいて詳細画像を表示するので、記憶媒体の容量を消費することなく画像表示時間を短縮することができる。
【図面の簡単な説明】
【図１】本発明の実施の形態に係る画像表示装置の内部構成を示すブロック図である。
【図２】図１のデジタルカメラ２０の操作面を示す図である。
【図３】図１のデジタルカメラ２０によって実行される第１の画像表示処理のフローチャートである。
【図４】図１のデジタルカメラ２０によって実行される第１の画像表示処理のフローチャートである。
【図５】（ａ）図１の記録装置１０に記録される圧縮画像データのデータ構造を示す図であり、（ｂ）図３のステップＳ３０２で生成される間引き画像データのデータ構造を示す図であり、（ｃ）図３のステップＳ３１１で生成される詳細画像データのデータ構造を示す図である。
【図６】図１のデジタルカメラ２０によって実行される第２の画像表示処理のフローチャートである。
【図７】図１のデジタルカメラ２０によって実行される第２の画像表示処理のフローチャートである。
【符号の説明】
１０  記録装置
１１  ＪＰＥＧ伸長部
１３  十字ボタン
１４  タッチパネル
１６  ＬＣＤ
１７  ＬＣＤコントローラ
【図１】
2005026836.tif 000003
【図２】
2005026836.tif 000004
【図３】
2005026836.tif 000005
【図４】
2005026836.tif 000006
【図５】
2005026836.tif 000007
【図６】
2005026836.tif 000008
【図７】
2005026836.tif 000009